(57)【特許請求の範囲】
【請求項１】
箱体内に複数の引出しを上下に多段状に装着するとともに、箱体の内側面に昇降杆を上下動可能として装着し、該昇降杆と前記各引出し間に、昇降杆の上下動により全引出しを同時に施解錠しうる係脱手段を設けた多段引出しキャビネットにおける施解錠装置において、
前記昇降杆と連係してこの昇降杆を上下動させ得る作動杆を軸を支点として可動させ得る電磁ソレノイドを前記箱体に固着し、前記作動杆には前記昇降杆との釣り合い手段を設け、かつ前記電磁ソレノイドの軸保持力より付勢力が弱いとともに前記昇降杆を上方に移動させる方向の付勢力を有するバネを、電磁ソレノイドと作動杆との間に設けたことを特徴とする多段引出しキャビネットにおける施解錠装置。
【請求項２】
箱体の適所に、昇降杆をキー操作により上下動させうる手動、もしくは電動で動くシリンダ錠が設けられていることを特徴とする請求項１に記載の多段引出しキャビネットにおける施解錠装置。
【発明の詳細な説明】
【０００１】
【発明の属する技術分野】
本発明は、箱体内に複数の引出しを上下に多段状に装着した多段引出しキャビネットにおける施解錠装置に関する。
【０００２】
【従来の技術】
従来、この種のロック装置としては実公平４−３２４６５号公報等が開示されている。この装置は、箱体内に複数の引出しを上下に多段状に装着し、各引出しの後端に回動自在に設けたラッチ爪を、箱体内に配設した前後回動自在となるようにして軸支した縦長の係合部材に係合する方向に付勢し、前記各ラッチ爪が取り付く引出しの前面板に設けられた錠前にて前記係合部材との係合が解除できるように構成する一方、箱体内には、箱体内に挿入された全引出しのラッチ爪との係脱を一挙に行わせる方向に前記係合部材を回動駆動する電磁ソレノイドを設けたものである。
【０００３】
この装置では、電磁ソレノイドによって、全引出しの施解錠が電気的に同時に行えるため、錠前による施解錠と比較して施解錠作業が楽に行える。特に多くのキャビネットの施解錠を行う場合において、錠前の場合には、各キャビネット毎にキー操作が必要であるのに対して、この装置を備えたキャビネットの場合には、集中制御部に各キャビネットの電磁ソレノイドの制御を行わせることで、各キャビネットの同時施解錠が可能となり、施解錠作業が非常に楽に行え、退社時の全キャビネットの同時施錠、出社時の全キャビネットの同時解錠が可能となり、文書等の盗難防止に有効である。
【０００４】
【発明が解決しようとする課題】
しかしながら、このような装置にあっては、適宜引出しが開放されたまま施錠が行われ、この施錠状態を知らずに使用者が前記開放された引出しを閉じようとする際、施錠装置の各部品等が破損する恐れがあるばかりか、このような状態にある引出しを閉じるためには、各引出し毎の錠前のキー操作が必要となるという問題があった。
【０００５】
また、錠前が各引出し毎に設けられ、該錠前により各ラッチ爪を回動させて各ラッチ爪と係合部材との係合を解除できるような構成であるために、電気的に施錠された状態で停電や電気装置の故障等が起こった場合、各引出しの施錠を解くためには、各段の引出しの錠前にキーを差込んで操作しなければ、引出し全部を開放可能とすることができず、操作が面倒であるという欠点があった。
【０００６】
よって、錠前や、錠前とラッチ爪とを連係する機構が各引出し毎に必要となるために、装置が高価なものとなってしまう。
【０００７】
本発明はこのような問題点に着目してなされたものであって、第１の目的は、一部の引き出しが開放されたまま施錠されていても、その引き出しを容易に閉じることの出来る多段引出しキャビネットにおける施解錠装置を提供することであり、第２の目的は、電気的に施錠された状態で停電や電気装置の故障が起こった場合に、箱体の適所に設けた別のシリンダ錠のキー操作により全引出しの施錠を同時に解くことができ、かつ構造が簡単で安価な多段引出しキャビネットにおける施解錠装置を提供することである。
【０００８】
【課題を解決するための手段】
上記目的を達成するために、本発明の多段引出しキャビネットにおける施解錠装置は、箱体内に複数の引出しを上下に多段状に装着するとともに、箱体の内側面に昇降杆を上下動可能として装着し、該昇降杆と前記各引出し間に、昇降杆の上下動により全引出しを同時に施解錠しうる係脱手段を設けた多段引出しキャビネットにおける施解錠装置において、
前記昇降杆と連係してこの昇降杆を上下動させ得る作動杆を軸を支点として可動させ得る電磁ソレノイドを前記箱体に固着し、前記作動杆には前記昇降杆との釣り合い手段を設け、かつ前記電磁ソレノイドの軸保持力より付勢力が弱いとともに前記昇降杆を上方に移動させる方向の付勢力を有するバネを、電磁ソレノイドと作動杆との間に設けたことを特徴としている。
この特徴によれば、電磁ソレノイドの軸保持力より付勢力が弱いバネを電磁ソレノイドの軸が施錠時に動く方向に付勢するように電磁ソレノイドと作動杵との間に設けることで、施錠時に開放されていた引き出しを容易に閉じることができるとともに、引き出しが閉じられた後、自動的に全引き出しが施錠される。また、作動杆に昇降杆との釣り合い手段が設けられているので、軸の収縮力の小さな電磁ソレノイドを使用しても、作動杆を確実に可動させて昇降杆を上下動させ得ることが出来る。
【０００９】
本発明の多段引出しキャビネットにおける施解錠装置は、箱体の適所に、昇降杆をキー操作により上下動させうる手動、もしくは電動で動くシリンダ錠が設けられていることが好ましい。
このようにすることで、電気的に施錠された状態で電気装置の故障等が起こった場合に、箱体の適所に設けた別のシリンダ錠のキー操作により全引出しの施錠を同時に解くことができるため操作性に優れ、また、錠前や錠前と連係する機構を各引出し毎に設ける必要がなく、装置全体の構造が簡略化され、安価な装置が提供できる。
【００１０】
【発明の実施の形態】
以下、本発明の実施の形態を図面に基づいて説明すると、まず図１には本発明の適用される書類収納用のキャビネットが示されており、キャビネットの箱体１内には上下３段に引出し２が収容されている。前記引出し２の両側面における前記箱体１のそれぞれの内側面には、前後方向摺動自在に取付けられた案内レール３内に嵌合可能な走行レール４が固設されており、引出し２を箱体１内に出し入れしうるようになっている。そしてこれら各引出し２の両側面所定箇所には突子５がそれぞれ突設されている。
【００１１】
箱体１の両内側面上下方向には、箱体１の高さより若干短寸の昇降杆６が、支持板１０（図２参照）により昇降自在に支持されており、特に図１中右方の昇降杆６の下端部と右方の側板の下端部との間には、合成樹脂製のキャッチ７が設けられている。
【００１２】
また、箱体１の上板１ａの前端面には、後述する電磁シリンダ錠と手動シリンダ錠の鍵孔３５ａ、５４ａがそれぞれ形成されている。この手動シリンダ錠に代えて電動のシリンダ錠を利用してもよい。
【００１３】
キャッチ７は図５（ａ）〜図５（ｃ）に示されるように、上方の把持具８と下方の嵌入具９とよりなり、把持具８は、下面開口する方形箱状をなすとともに、その内側面には、弾性屈撓する１対の係止片８ａが形成されている。前記両係止片８ａの下端同士は、常時は近接している。嵌入具９は、中位部が膨出している舌片状の嵌入部９ａの下端に取付部９ｂを連設したものよりなっている。そして把持具８は、箱体１の内側面下部に固着され、嵌入具９は、右方の昇降杆６の下端に固着されている。
【００１４】
右方の昇降杆６における各突子５とほぼ等高の個所には、後述するような案内具１１の基板１２が固着されている。前記基板１２の側面上部には、下向山形の押上突起１３が、同じく側面下部には、上向山形の押下突起（ストッパ）１４が連設され、両突起１３、１４の間には、引出し２の突子５が前後に挿通しうる前下方を向く傾斜溝１５が形成されている。押下突起１４の後端面１４ａは、垂直なストッパ面をなしている。尚、左方の昇降杆６の内側面における各引出し２に対応する位置には、上記と同一の押下突起１４のみが固着されている。
【００１５】
箱体１内の左内側面上部後側には、特に図６〜図８に示される自動ロック装置２１が配設されている。該自動ロック装置２１は、主に箱体１の左内側面上部に固設される基板２２と、該基板２２の上部に形成される突片２３において軸２４を中心に回動自在に軸支される作動杆としての回動リンク２６と、前記基板２２に取付けられる電磁ソレノイド２９とから構成される。
【００１６】
回動リンク２６の前端部は、支持具１９に枢支され、左右の昇降杆６を係止する揺動板１７を下方より支持するとともに、後端には昇降杆６との釣り合い手段としてのバランサ２８が取付けられている。
【００１７】
揺動板１７の前方には、鍵孔５４ａを箱体１の上板１ａ前端面に開口するように手動シリンダ錠５４が配設されており、この手動シリンダ錠５４の後面からは鍵孔５４ａからのキー操作により回動する摺接棒５５が後方に突設されている。そして前記摺接棒５５は、後述するロック装置２１が電気的に施錠状態にある時、揺動板１７の上辺に摺接するようになっている。
【００１８】
電磁ソレノイド２９の上方には上下方向に伸縮する軸２９ａが嵌挿されており、その先端には、上端が軸３２をもって回動リンク２６に連結される連結板３１が取付けられている。この軸３２は、連結板３１に形成された長孔３１ａを介して回動リンク２６に挿通されている。
【００１９】
連結板３１下端には水平板３０が、取付板２２に互いに上下方向に所定距離離間して固着される上下の規制部材３３、３３’間内を移動可能に設けられている。
【００２０】
３４は一端を回動リンク２６に、他端を軸２９ａに取付けられた付勢バネであり、常時回動リンク２６を反時計回り方向に付勢している。その付勢力は電磁ソレノイド２９の軸の保持力より弱く、かつ昇降杆６を上方移動できる引張力を有している。また、２９ｂは軸２９ｂの伸張方向への力を補助する補助バネである。
【００２１】
電磁ソレノイド２９の軸２９ａは、箱体１の前面上部に露出される鍵孔３５ａを有する電磁シリンダ錠３５ａを介してキー操作することで上下方向に伸縮されるようになっており、この伸縮により回動リンク２６が軸２４を中心に回動されるようになっている。
【００２２】
このように構成された装置において、全引出し２が押入れられ、電磁シリンダ錠３５が解錠されている時は、図２に示されるように両昇降杆６が自重により下限に位置している時、各案内具１１の傾斜溝１５の後端は、各引出し２の突子５の直前に位置し、かつキャッチ７の把持具８と嵌入９は、図５（ａ）に示すように、上下に分離している。従って各引出し２は、自由に引き出すことができる。また、この時電磁ソレノイド２９の軸２９ａは伸張状態にある。
【００２３】
図３に示すように、例えば中段の引き出し２を引出すと、右方の突子５は、中段の案内具１１の傾斜溝１５を通過する際に、押上突起１３を押上げ、右方の昇降杆６とともに全案内具１１を上昇させ、ともに上昇する嵌入具９は、図５（ｂ）に示すように把持具８に嵌入して弾性係合する。
【００２４】
突子５の通過後も、右方の昇降杆６は下降せず、他の突子５は、押下突起１４の後端面１４ａの下部の直後に位置する。従って上段と下段の引出し２は、その突子５が各案内具１１の押下突起１４に前方が遮られて引出すことはできない。このとき、左方の昇降杆６は下限に位置したままで、左方の突子５の移動を何ら妨げることはない。
【００２５】
上述の状態で、中段の引出し２を押し入れると、その右方の突子５は、中段の案内具１１の傾斜溝１５を前方より通過する際、押下突起１４を押し下げるので、昇降杆６もともに下降して、キャッチ７の嵌入具９は、把持具８より強制的に離脱させられ、右方の昇降杆６は、自重により更に若干下降して、図２に示す状態となり、再び全引出し２の引出しが可能となる。
【００２６】
図２及び図６に示す状態において、電磁シリンダ錠３５を施錠操作すると、電磁ソレノイド２９の軸２９ａが図７のように収縮し、付勢バネ３４が回動リンク２６後端を下方に引張り、反時計回りに回動させる。この時付勢バネ３４による回動リンク２６の引張り力はバランサ２８の自重により補助されるため、付勢バネ３４が伸張して、軸２９ａの収縮力が吸収されてしまうことはない。
【００２７】
よって回動リンク２６の先端が揺動板１７を上向き回動させ、その先端部に係合孔１６をもって吊支されている両昇降杆６は、図４に示すように、各案内具１１とともに若干上昇させられ、その押下突起１４の後端面１４ａの上部が、各突子５の前方を覆うので、左右両列の全引出し２は、引出し不能に施錠される。
【００２８】
しかもこの時は、両昇降杆６が上述の同時引き出し防止時程上昇しないので、キャッチ７は係合していない。そのため、再び電磁ソレノイド２９への通電を停止すれば、図６に示されるように電磁ソレノイド２９の軸２９ａが再び伸長され、昇降杆６は自重により下降して図２に示すように解除される。
【００２９】
さらに、適宜引出し２が開放されたままロック装置２１が施錠されている場合に前記引出し２を閉じようとすると、前述の防倒装置により昇降杆６に下方向への移動作用が働き、回動リンク２６が時計回りに回動しようとする。この時、電磁ソレノイド２９の軸２９ａは収縮状態に保持されているが、付勢バネ３４が伸張するとともに、軸３２が長孔３１ａを介して上方へ摺動されることにより、回動リンク２６の回動、及び昇降杆６の下方移動が許容されるため、引出し２を閉じることができる。
【００３０】
そして、引出し２が完全に閉じられると同時に、回動リンク２６の後端が、付勢バネ３４の復帰力及びバランサ２８の自重により自動的に下方に復帰されて、施錠状態に戻ることになる。
【００３１】
また、ロック装置２１が何らかの原因により施錠状態で動かなくなってしまった場合、手動シリンダ錠５４の鍵孔５４ａからのキー操作により摺接棒５５を回動させれば、電磁ソレノイド２９の軸２９ａが収縮状態に保持されて動かなくても、前述のように付勢バネ３４が伸張するとともに、軸３２が長孔３１ａを介して上方へ摺動されることにより、回動リンク２６の回動、及び昇降杆６の下方移動が許容され、全引出し２を同時に解錠状態にすることが出来る。
【００３２】
このように本発明の実施の形態としての多段引出しキャビネットの施解錠装置によれば、電磁ソレノイドの軸が施錠時の状態のままで、電磁ソレノイド本体がバネの付勢力に抗して電磁ソレノイドの軸の伸縮と同方向に摺動可能なため、電気的に施錠された状態で停電や電気装置の故障等が起こった場合に、箱体の適所に設けた１個の手動のシリンダ錠のキー操作により全引出しの施錠を同時に解くことができる。
【００３３】
また、電磁ソレノイド２９の軸２９ａの保持力より付勢力が弱い付勢バネ３４を電磁ソレノイド２９の軸２９ａが施錠時に動く方向に付勢するように電磁ソレノイド２９と回動リンク２６との間に設けることで、施錠時に開放されていた引き出しを容易に閉じることができるとともに、引き出しが閉じられた後、自動的に全引き出しが施錠される。また、回動リンク２６に昇降杆６との釣り合い手段としてのバランサ２８が設けられているので、軸２９ａの保持力の小さな電磁ソレノイド２９を使用しても、回動リンク２６を確実に可動させて昇降杆６を上下動させ得ることが出来る。
【００３４】
さらに、１個のシリンダ錠のキー操作により全引出しの施錠を同時に解くことができるため、錠前や錠前と連係する機構を各引出し毎に設ける必要がなく、装置全体の構造が簡略化され、安価な装置が提供できる。
【００３５】
以上、本発明の実施例を図面により説明してきたが、具体的な構成はこれら実施例に限られるものではなく、本発明の要旨を逸脱しない範囲における変更や追加があっても本発明に含まれる。
【００３６】
【発明の効果】
本発明は次の効果を奏する。
【００３８】
（ａ）請求項１の発明によれば、電磁ソレノイドの軸保持力より付勢力が弱いバネを電磁ソレノイドの軸が施錠時に動く方向に付勢するように電磁ソレノイドと作動杵との間に設けることで、施錠時に開放されていた引き出しを容易に閉じることができるとともに、引き出しが閉じられた後、自動的に全引き出しが施錠される。また、作動杆に昇降杆との釣り合い手段が設けられているので、軸の収縮力の小さな電磁ソレノイドを使用しても、作動杆を確実に可動させて昇降杆を上下動させ得ることが出来る。
【００３９】
（ｂ）請求項２の発明によれば、電気的に施錠された状態で停電や電気装置の故障等が起こった場合に、箱体の適所に設けた別のシリンダ錠のキー操作により全引出しの施錠を同時に解くことができるため操作性に優れ、また、錠前や錠前と連係する機構を各引出し毎に設ける必要がなく、装置全体の構造が簡略化され、安価な装置が提供できる。
【００４０】
【図面の簡単な説明】
【図１】本発明の適用される書類収納用のキャビネットを示す斜視図である。
【図２】施解錠装置が解錠状態であるキャビネットを示す側面図である。
【図３】施解錠装置が解錠状態で、引出しが引出されたキャビネットを示す側面図である。
【図４】施解錠装置が施錠状態であるキャビネットを示す側面図である。
【図５】（ａ）、（ｂ）、（ｃ）はそれぞれ図２のＡ−Ａ断面図、図２のＢ−Ｂ断面図、図２のＣ−Ｃ断面図である。
【図６】図２の状態におけるキャビネットの施解錠装置を示す側面図である。
【図７】図４の状態におけるキャビネットの施解錠装置を示す側面図である。
【図８】施錠状態において、引出しが閉められた時の施解錠装置を示す側面図である。
【符号の説明】
１            箱体
１ａ          上板
２            引出し
３            案内レール
４            走行レール
５            突子
６            昇降杆
７            キャッチ
８            把持具
８ａ          係止片
９            嵌入具
９ａ          嵌入部
９ｂ          取付部
１０            支持板
１１            案内具
１２            基板
１３            押上突起
１４            押下突起
１５            傾斜溝
１６            係合孔
１７            揺動板
１９            支持具
２１            自動ロック装置
２２            基板
２３            突片
２４            軸
２６            回動リンク（作動杆）
２８            バランサ（釣り合い手段）
２９            電磁ソレノイド
２９ａ          軸
３０            水平板
３１            連結板
３１ａ          長孔
３２            軸
３３、３３’    規制部材
３４            付勢バネ
３５            電磁シリンダ錠
３５ａ          鍵孔
５４、５４ａ    手動シリンダ錠
５５            摺接棒
【図１】
0003966568.tif 000002
【図２】
0003966568.tif 000003
【図３】
0003966568.tif 000004
【図４】
0003966568.tif 000005
【図５】
0003966568.tif 000006
【図６】
0003966568.tif 000007
【図７】
0003966568.tif 000008
【図８】
0003966568.tif 000009